(57)【特許請求の範囲】
【請求項１】
双眼鏡を三脚に取り付けるための三脚アダプタにおいて、
該三脚アダプタは、
前記三脚に取り付けられるアダプタ本体と、
前記アダプタ本体に形成された貫通孔に回動自在に挿入されるとともに、その先端部が前記双眼鏡の機軸に締結されるねじ部材と、
前記アダプタ本体に設けられ、前記ねじ部材が前記機軸に締結された際に、アダプタ本体に対して双眼鏡を任意の姿勢で保持させることができるとともに双眼鏡に所定の外力が加えられると双眼鏡をねじ部材を中心に回動させることができる程度の摩擦力を有する摩擦力発生部材と、から構成され、
前記三脚アダプタの前記摩擦力発生部材は、前記アダプタ本体の前記貫通孔に挿入されるとともに前記ねじ部材が挿入され、該ねじ部材の挿入によって拡径される拡径部及び前記双眼鏡の機軸に係合されて双眼鏡と共回りさせるための係合部が形成されたスリーブであり、
前記摩擦力は、前記スリーブの拡径された拡径部とアダプタ本体の貫通孔との間で生じる摩擦力であることを特徴とする三脚アダプタ。
【発明の詳細な説明】
【０００１】
【発明の属する技術分野】
本発明は、双眼鏡を三脚に取り付けるための三脚アダプタに関する。
【０００２】
【従来の技術】
実用新案登録第３０６４１２５号公報に開示された三脚アダプタは、アダプタ本体、コレットチャック、及びチャックレバーを主として構成されている。この三脚アダプタによれば、アダプタ本体のテーパがついた孔にコレットチャックが挿入され、このコレットチャックにチャックレバーが連結されている。
【０００３】
三脚アダプタに双眼鏡を取り付ける場合には、双眼鏡の機軸（関節軸）に突設されたボルトをコレットチャックに挿入した後、チャックレバーを締めてコレットチャックを孔に引き込む。この動作によって、コレットチャックの顎部材が閉じ、顎部材によってボルトが挟圧保持されるので、双眼鏡がコレットチャックを介してアダプタ本体に取り付けられる。
【０００４】
ところで、三脚アダプタに取り付けられた双眼鏡を実際に使用する場合には、双眼鏡を構成する二つの鏡体の接眼部の間隔を、使用者の眼幅に調整（以下、「眼幅調整」と称する）する必要がある。二つの鏡体は、前記機軸にブリッジを介して連結されているが、一方の鏡体はブリッジと機軸とが一体に構成され、他方の鏡体のブリッジが機軸に回動自在に連結されている。したがって、眼幅調整前に二つの鏡体が水平になるように双眼鏡を三脚アダプタに取り付けたとしても、眼幅調整時には、他方の鏡体を回動させるため、二つの鏡体は水平にならず、左右の視界がずれるという問題が生じる。
【０００５】
そこで、前記従来の三脚アダプタは、眼幅調整後にチャックレバーを緩め、双眼鏡を回動させて二つの鏡体を水平姿勢にした後、チャックレバーを再度締めることにより前記視界ずれを修正していた。
【０００６】
【発明が解決しようとする課題】
しかしながら、前記従来の三脚アダプタは、水平姿勢調整するためにチャックレバーを緩めたり締めたりする動作が必要なので、取り扱いが面倒であるという欠点があった。
【０００７】
また、前記従来の三脚アダプタは、コレットチャックとボルトとの嵌合部が短いので、コレットチャックからボルトが脱落するという虞があった。
【０００８】
本発明は、このような事情に鑑みてなされたもので、水平姿勢調整を簡単に行うことができる取り扱いの容易な三脚アダプタを提供することを目的とする。
【０００９】
【課題を解決するための手段】
本発明は、前記目的を達成するために、双眼鏡を三脚に取り付けるための三脚アダプタにおいて、該三脚アダプタは、前記三脚に取り付けられるアダプタ本体と、前記アダプタ本体に形成された貫通孔に回動自在に挿入されるとともに、その先端部が前記双眼鏡の機軸に締結されるねじ部材と、前記アダプタ本体に設けられ、前記ねじ部材が前記機軸に締結された際に、アダプタ本体に対して双眼鏡を任意の姿勢で保持させることができるとともに双眼鏡に所定の外力が加えられると双眼鏡をねじ部材を中心に回動させることができる程度の摩擦力を有する摩擦力発生部材と、から構成され、前記三脚アダプタの前記摩擦力発生部材は、前記アダプタ本体の前記貫通孔に挿入されるとともに前記ねじ部材が挿入され、該ねじ部材の挿入によって拡径される拡径部及び前記双眼鏡の機軸に係合されて双眼鏡と共回りさせるための係合部が形成されたスリーブであり、前記摩擦力は、前記スリーブの拡径された拡径部とアダプタ本体の貫通孔との間で生じる摩擦力であることを特徴とする。
【００１０】
本発明によれば、アダプタ本体を三脚に取り付けるとともに、アダプタ本体の貫通孔に挿入されたねじ部材を回動させて双眼鏡の機軸に締結することにより、双眼鏡を三脚アダプタを介して三脚に取り付ける。そして、双眼鏡を構成する二つの鏡体を相対的に回動させて眼幅調整を実施した後、摩擦力発生部材の摩擦力に抗して双眼鏡を、ねじ部材を中心に回動させる。そして、二つの鏡体が水平姿勢になった位置で鏡体の回動を止めると、双眼鏡は摩擦力発生部材の摩擦力によって、その姿勢に保持される。よって、本発明の三脚アダプタは、ねじ部材を緩めたり締めたりする動作を行うことなく、水平姿勢調整を行うことができるので、取り扱いが容易になる。また、本発明は、三脚アダプタと双眼鏡との取付構造として、ねじ部材を機軸に締結させる締結構造を採用したので、双眼鏡が三脚アダプタから不用意に外れない。
【００１１】
本発明の摩擦力発生部材のスリーブは、アダプタ本体の貫通孔に挿入されるとともにねじ部材が挿入され、ねじ部材の挿入によって拡径される拡径部及び双眼鏡の機軸に係合されて双眼鏡と共回りさせるための係合部が形成されている。この摩擦力発生部材によれば、ねじ部材が挿入されると拡径部が拡径してアダプタ本体の貫通孔に圧接されるので、拡径部と貫通孔との間で摩擦力を得ることができる。
【００１３】
【発明の実施の形態】
以下添付図面に従って本発明に係る三脚アダプタの好ましい実施の形態について詳説する。
【００１４】
図１は、第１の実施の形態の三脚アダプタ１０で双眼鏡１２を三脚１４に取り付ける状態を示した図である。双眼鏡１２を構成する二つの鏡体１６、１８は、機軸２０に各々一対のブリッジ２２、２４を介して連結されるとともに、鏡体１６はブリッジ２２と機軸２０とが一体に構成され、鏡体１８のブリッジ２４が機軸２０に回動自在に連結されている。したがって、この双眼鏡１２によれば、鏡体１８を機軸２０に対して図１上矢印Ａ方向に回動させて眼幅調整を実施する。
【００１５】
三脚アダプタ１０は図１、図２の如くアダプタ本体３０、ねじ部材３２、及び摩擦力発生部材であるスリーブ３４から構成されている。
【００１６】
アダプタ本体３０は、鏡体１６、１８間の狭い隙間でも挿入できるように、その中央部３０Ａが薄板状に形成されている。また、アダプタ本体３０の基部３０Ｂは、強度を得るために縦断面が三角形状に形成され、この基部３０Ｂの下面には、三脚１４側に突設されたねじ１５に螺合されるねじ穴３１が形成されている。したがって、ねじ１５をねじ穴３１に螺合させることにより、三脚アダプタ１０が三脚１４に取り付けられる。
【００１７】
一方、スリーブ３４は図２、図３の如くアダプタ本体３０の頂部３０Ｃに形成された貫通孔３３に嵌入される。また、ねじ部材３２がスリーブ３４の挿入側と反対側から、図３の如くスリーブ３４の貫通孔３４Ａにその軸部３２Ａが回動自在に貫通配置され、軸部３２Ａの先端部に形成された雄ねじ３５がスリーブ３４から突出される。この雄ねじ３５が図１の機軸２０の前端面２０Ａに形成された雌ねじ２１に螺合され、これによって、三脚アダプタ１０が双眼鏡１２に取り付けられる。なお、図１上符号３２Ｃは、ねじ部材３２の頭部３２Ｂに形成されたスリワリである。また、図３上符号３６はＣ形リングであり、このＣ形リング３６を軸部３２Ａの凹条溝３２Ｄに嵌着すると、スリーブ３４からのねじ部材３２の抜けが防止されるとともに、Ｃ形リング３６と頭部３２Ｂとによって貫通孔３３からのスリーブ３４の抜けが防止される。
【００１８】
ところで、前記スリーブ３４は、図２の如く拡径部４０とフランジ部４２とから構成されている。拡径部４０は、貫通孔３３に挿入される部分であり、その外周面４０Ａに４本のスリット４４、４４…が軸方向に等間隔に形成され、これによって、４枚の拡径片４６、４６…が形成される。これらの拡径片４６、４６…は、拡径部４０とフランジ部４２との境界部に周方向に形成された細径部４８によって、所定の弾性力をもって拡径可能になっている。
【００１９】
拡径片４６の図３上左側端面には、スリーブ３４の貫通孔３４Ａに向けたテーパ面４６Ａが形成される。これらのテーパ面４６Ａは、ねじ部材３２の締結時（三脚アダプタ１０を双眼鏡１２に取り付ける時）に、ねじ部材３２の軸部３２Ａと頭部３２Ｂとを連結する円錐台形状のテーパ部４９に押圧される。この動作によって、拡径片４６、４６…が細径部４８を支点として拡径していき、その外周面４０Ａが貫通孔３３の内周面３３Ａに圧接される。
【００２０】
これにより、拡径片４６の外周面４０Ａと貫通孔３３の内周面３３Ａとの間で摩擦力が発生する。また、この時の摩擦力は、双眼鏡１２の重量に打ち勝って双眼鏡１２をアダプタ本体３０に対して任意の姿勢で保持させることができるとともに双眼鏡１２に所定の外力が加えられると双眼鏡１２をねじ部材３２を中心に回動させることができる程度の摩擦力に設定されている。
【００２１】
スリーブ３４のフランジ部４２には、ピン（係合部）５０が植設されている。このピン５０は、図１の如く機軸２０の前端面２０Ａに径方向に形成された溝５２に係合される。したがって、双眼鏡１２全体をねじ部材３２を中心に回動させると、溝５２にピン５０が係合されているので、スリーブ３４が双眼鏡１２と共回りする。この時、スリーブ３４には前述の摩擦力が与えられているので、双眼鏡１２の回動を止めれば、双眼鏡１２がその姿勢で保持される。
【００２２】
次に、前記の如く構成された三脚アダプタ１０の作用について説明する。
【００２３】
まず、図１に示したアダプタ本体３０のねじ穴３１に、三脚１４側のねじ１５を締結して、三脚アダプタ１０を三脚１４に取り付ける。
【００２４】
次に、ねじ部材３２の雄ねじ３５を、双眼鏡１２の機軸２０に形成された雌ねじ２１に締結する。これによって、双眼鏡１２が三脚アダプタ１０を介して三脚１４に取り付けられる。
【００２５】
次いで、図４に示すように、双眼鏡１２の鏡体１８を図４（Ａ）上で矢印Ａ方向（Ａ方向と逆方向でもよい）に回動させて眼幅調整を行う。この時、鏡体１８のブリッジ２４と機軸２０との間には、鏡体１８の重量だけでは鏡体１８を回動させないだけの摩擦力が与えられているので、鏡体１８の回動を止めれば、その姿勢に鏡体１８が保持される。
【００２６】
次に、双眼鏡１２の水平姿勢調整を実施する。この場合、三脚アダプタ１０では、スリーブ３４の摩擦力に抗して双眼鏡１２をねじ部材３２を中心に、図４（Ｂ）上で矢印Ｂ方向に回動させる。そして、二つの鏡体１６、１８が水平姿勢になった位置で双眼鏡１２の回動を止めると、双眼鏡１２はスリーブ３４の摩擦力によって、その姿勢に保持される。
【００２７】
よって、本実施の形態の三脚アダプタ１０は、ねじ部材３２を緩めたり締めたりする動作を行うことなく、双眼鏡１２を回動させるだけで水平姿勢調整を行うことができるので、従来の三脚アダプタと比較して取り扱いが容易になる。
【００２８】
また、三脚アダプタ１０では、三脚アダプタ１０と双眼鏡１２との取付構造として、ねじ部材３２を機軸２０に締結させる締結構造を採用したので、双眼鏡１２が三脚アダプタ１０から不用意に外れるのを防止できる。
【００２９】
図５、図６には、第２の実施の形態の三脚アダプタ１００が示され、図１〜図４に示した第１の実施の形態の三脚アダプタ１０と同一若しくは類似の部材については同一の符号を付して説明する。
【００３０】
三脚アダプタ１００はアダプタ本体３０、ねじ部材３２、キャップ（環状体）１０２、及び３枚のウェーブワッシャ（付勢部材）１０４、１０４…から構成されている。
【００３１】
ねじ部材３２の軸部３２Ｅは、アダプタ本体３０の貫通孔３３に直接挿入されるもので、図３に示したねじ部材３２の軸部３２Ａと比較して大径に形成されている。また、図６に示したねじ部材３２には、図３に示したねじ部材３２のテーパ部４９が形成されていない。
【００３２】
キャップ１０２は環状に形成され、その開口部１０３にねじ部材３２の雄ねじ３５が貫通配置される。ねじ部材３２は、Ｃ形リング３６によってキャップ１０２からの抜けが防止されている。
【００３３】
一方、３枚のウェーブワッシャ１０４、１０４…は、重ねられるとともにその両側に配置された押さえリング１０６、１０８に挟まれた状態で貫通孔３３の段部３３Ｂに配置されている。また、ウェーブワッシャ１０４、１０４…は、段部３３Ｂの側面３３Ｃとキャップ１０２とに挟まれた状態で貫通孔３３に配置され、ウェーブワッシャ１０４、１０４…の付勢力がキャップ１０２に伝達されている。この付勢力によって、キャップ１０２は機軸２０に向けて付勢されるとともに、押さえリング１０８とキャップ１０２との間で摩擦力が発生する。また、この摩擦力は、双眼鏡１２の重量に打ち勝って双眼鏡１２をアダプタ本体３０に対して任意の姿勢で保持させることができるとともに双眼鏡１２に所定の外力が加えられると双眼鏡１２をねじ部材３２を中心に回動させることができる摩擦力に設定されている。即ち、図１に示した三脚アダプタ１０の摩擦力と同等の摩擦力に設定されている。
【００３４】
このように構成された三脚アダプタ１００を使用して、双眼鏡１２の水平姿勢調整を実施する場合には、押さえリング１０８とキャップ１０２との間の摩擦力に抗して双眼鏡１２をねじ部材３２を中心に回動させる。そして、二つの鏡体１６、１８が水平姿勢になった位置で双眼鏡１２の回動を止めると、双眼鏡１２は前記摩擦力によってその姿勢に保持される。
【００３５】
よって、この三脚アダプタ１００を使用しても、ねじ部材３２を緩めたり締めたりする動作を行うことなく、双眼鏡１２を回動させるだけで水平姿勢調整を行うことができる。
【００３６】
【発明の効果】
以上説明したように本発明に係る三脚アダプタによれば、ねじ部材が機軸に締結された際に、アダプタ本体に対して双眼鏡を任意の姿勢で保持させることができるとともに双眼鏡に所定の外力が加えられると双眼鏡をねじ部材を中心に回動させることができる摩擦力を有する摩擦力発生部材を有しているので、双眼鏡を回動させるだけで水平姿勢調整を行うことができ、取り扱いが容易になる。
【図面の簡単な説明】
【図１】第１の実施の形態の三脚アダプタによって双眼鏡を三脚に取り付ける状態を示した図
【図２】図１に示した三脚アダプタの組立斜視図
【図３】図１に示した三脚アダプタの要部拡大断面図
【図４】図１の三脚アダプタによる眼幅調整及び水平姿勢調整を説明するための図
【図５】第２の実施の形態の三脚アダプタの組立斜視図
【図６】図５に示した三脚アダプタの要部拡大断面図
【符号の説明】
１０、１００…三脚アダプタ、１２…双眼鏡、１４…三脚、１６、１８…鏡体、２０…機軸、３０…アダプタ本体、３２…ねじ部材、３３…貫通孔、３４…スリーブ、４０…拡径部、４６…拡径片、４９…テーパ部、５０…ピン、１０２…キャップ、１０４…ウェーブワッシャ
【図１】
0004244371.tif 000002
【図２】
0004244371.tif 000003
【図３】
0004244371.tif 000004
【図４】
0004244371.tif 000005
【図５】
0004244371.tif 000006
【図６】
0004244371.tif 000007